(57)【要約】【課題】本発明の目的は、靴紐をもっとしっかりと締めることができる上、靴の履き脱ぎに対しても便利である巻取り装置付き靴を提供する。【解決手段】本発明は、アーパ上に２つの紐孔列付き羽根が並列してある靴において、前記２つの紐孔列付き羽根のいずれかの一つの紐孔列の側辺に、巻取り装置が設けてあり、該巻取り装置の巻きワイヤの自由端部にリングが付設してあり、且つ、前記２つの紐孔列付き羽根上の紐孔を順番に通して靴紐を設置する際において、該巻取り装置の近くにある少なくとも一つの紐孔に代えて該リングを利用するようにしたことを特徴とする巻取り装置付き靴を提供する。【選択図】　　　図５
2004016732.tif 000002
【特許請求の範囲】
【請求項１】
アーパ上に２つの紐孔列付き羽根が並列してある靴において、
前記２つの紐孔列付き羽根のいずれかの一つの紐孔列の側辺に、巻取り装置が設けてあり、
該巻取り装置の巻きワイヤの自由端部にリングが付設してあり、
且つ、前記２つの紐孔列付き羽根上の紐孔を順番に通して靴紐を設置する際において、該巻取り装置の近くにある少なくとも一つの紐孔に代えて該リングを利用するようにしたことを特徴とする巻取り装置付き靴。
【請求項２】
前記巻取り装置は、
上下２面を有する円盤体で、その上面のほぼ中央位置に軸芯が突出してあり、その下面で前記アーパと接着して固定されている底座と、
上下２面とこの上下２面の間に延伸してなる凹陥状周面とを有する円環体で、その上面のほぼ中心部に回転レーバが付設してあり、その下面に取付孔が開設してあり、また、該取付孔の前記軸芯に対する外嵌により前記底座上に回転可能に設けられているスプールと、
前記スプールの前記凹陥状周面に巻かれている前記巻きワイヤとを備えていることを特徴とする請求項１に記載の巻取り装置付き靴。
【請求項３】
前記スプールの上面のほぼ中心部にスロット付き突台が突出形成してあり、且つ、前記レバーは、一端が前記スロット内に嵌挿固定されていることを特徴とする請求項２に記載の巻取り装置付き靴。
【請求項４】
前記スプールは、前記スロット付き突台だけが前記２つの羽根のそれと対応する一つの外に突出するように、前記底座と共に、前記対応の羽根と前記アーパとの間に挟持固定され、また、前記レバーも前記スロット付き突台と共に前記対応の羽根外に露出していることを特徴とする請求項３に記載の巻取り装置付き靴。
【請求項５】
前記対応の羽根の下における前記底座上に、前記スロット付き突台だけをその中心部から突出させるように前記スプールの全体を遮蔽した中心孔付き蓋体が付設されており、前記蓋体の周縁部に２つの通孔が開設してあり、前記巻きワイヤの前記２つの自由端部は前記２つの通孔か前記ら蓋体の外に延伸していて前記２つのリングが前記蓋体内に引っ込まれることができないように付設されていることを特徴とする請求項４に記載の巻取り装置付き靴。
【請求項６】
前記巻取り装置は、更に、前記２つの通孔の周縁近くから突出してから、前記対応の羽根を貫通して羽根外に露出し、ほぼ前記２つのリングに代えられる２つの紐孔のあるべき位置までに延伸してなる２つの管体があり、且つ、前記２つの管体は、前記２つのリングをそれぞれ前記管体の口内に収納することができるように構成されていることを特徴とする請求項５に記載の巻取り装置付き靴。
【請求項７】
前記底座に、更に、その周縁から突出してから、前記対応の羽根を貫通して羽根外に延伸し、且つ、その延伸端部上に、前記レバーの他端を脱着可能に係止することができる係止座が形成されてなる係止手段を有することを特徴とする請求項５に記載の巻取り装置付き靴。
【請求項８】
前記巻きワイヤは、２折りされてから、その２端部とも自由端部とされて前記スプールの前記凹陥状周面に巻かれており、且つ、前記２つの自由端部にそれぞれリングが付設されていて、前記靴紐を設置する際において、前記巻取り装置の近くにある２つの紐孔に代えることを特徴とする請求項１〜７に記載の巻取り装置付き靴。
【請求項９】
前記靴紐が順番に前記２つの紐孔列付き羽根上の紐孔及び前記２つのリングを順番に通して設置したことを特徴とする請求項１〜７に記載の巻き取り装置付き靴。
【請求項１０】
前記靴紐が順番に前記２つの紐孔列付き羽根上の紐孔及び前記２つのリングを順番に通して設置したことを特徴とする請求項８に記載の巻き取り装置付き靴。
【発明の詳細な説明】
【０００１】
【発明の属する技術分野】
本発明は靴に関し、さらに詳しくは巻取り装置付き靴に関する。
【０００２】
【従来の技術】
従来から、図１に示すような紐長さ快速調整デバイス付き靴が知られている。図示のように、この靴１は、従来のスポーツ靴と同じように、アーパ上に２つの紐孔列付き羽根が並列してあるが、更にも、調整シート２０とベルクロファスナシート２１とからなる紐長さ快速調整デバイス２が付設されている。図示のように、調整シート２０は、係止用スロット２０１と紐を挿通するための一対の通孔２０２とを有するように形成されたシート状のものである。ベルクロファスナシート２１は、表面の一端側にループ構造があり、他端側にフック構造がある長条形のもので、その一端２１１がアーパ３上の調整シート２０の予定場所の傍に固定されている。そして、調整シート２０は、一対の通孔２２を１紐孔列付き羽根４における予定の一対の通孔４１と照準して、靴紐５の紐孔５１への交差挿通と共に前記アーパ３上に設置されている。このように、この靴１を履く時、図２に示すように、ベルクロファスナシート２１の他端２１２を調整シート２０のスロット２０１を挿通してから引っ張り、当該他端表面のフック構造と前記一端表面にあるループ構造とを接触して連結させることにより、調整シート２０を介して靴紐５を引っ張って、靴紐５を一層締めることができるが、靴紐の締める程度を上げる効果だけがあって、靴の履き脱ぎに対してはなんらの役にも立たず、まだまだ理想とは言えない。
【０００３】
また、米国特許第４４１４７６１号には、図３及び図４に示すような靴が開示されている。この靴は、一見するところ、従来の、アーパ上に２つの紐孔列付き羽根が並列してあるスポーツ靴とそっくり（図４参照）であるが、前記２つの紐孔列付き羽根の一つは、他の紐孔列付き羽根７と並列するようにアッパー６上に固定されている雄ベルクロファスナ８１（フック構造）と、前記雄ベルクロファスナ８１と別体であって、それと粘着できる紐孔列付き雌ベルクロファスナ８２（ループ構造）とからなる。図示のように、靴紐９は紐孔列付き羽根７と雌ベルクロファスナシート８２との紐孔を順番に挿通して結ばれているが、通常は靴の飾りだけとされ、靴の履き脱ぎなどに使用されず、靴の履き脱ぎは一切雌ベルクロファスナ８２の雄ベルクロファスナ８１への着脱によるのである。即ち、この米国特許の靴は、雌ベルクロファスナ８２を引っ張って雄ベルクロファスナ８１に連結することにより、紐孔列付き羽根７と紐孔列付き雌ベルクロファスナシート８２とをきちんと靴上に配列することができるのみならず、靴紐を固く縛るが如く、靴を足にしっかりと履くこともできる。そして、靴を脱ごうとすると、雌ベルクロファスナ８２と雄ベルクロファスナ８１との間の連結を解除することで済む。しかしながら、このような着脱構造では、走りや他の割に激しい運動をする場合、雌雄２ベルクロファスナ構造の間の連結は弛みやすくて、足が不意に靴から脱ぐ可能性があるので、スポーツ靴に適用しない。また、このような着脱構造では、ベルクロファスナ面に綿や塵などがつくと、雌雄２ベルクロファスナ構造の間の連結力が使用もできないほど弱くなる欠点もある。
【０００４】
【発明が解決しようとする課題】
上記に鑑みて、本発明の目的は、靴紐をもっとしっかりと締めることができる上、靴の履き脱ぎに対しても便利である巻取り装置付き靴を提供しようとすることにある。
【０００５】
【課題を解決するための手段】
上記目的を達成するために、本発明は、アーパ上に２つの紐孔列付き羽根が並列してある靴において、前記２つの紐孔列付き羽根のいずれかの一つの紐孔列の側辺に、巻取り装置が設けてあり、該巻取り装置の巻きワイヤの自由端部にリングが付設してあり、且つ、前記２つの紐孔列付き羽根上の紐孔を順番に通して靴紐を設置する際において、該巻取り装置の近くにある少なくとも一つの紐孔に代えて該リングを利用するようにしたことを特徴とする巻取り装置付き靴を提供する。
【０００６】
このように構成されている靴は、前記巻取り装置の巻きワイヤを巻き取ることにより、前記巻きワイヤの自由端部に付設されている前記リングを引張って靴紐をもっとしっかりと締めることができ、且つ、前記巻き取り装置の巻きワイヤを繰り出すことにより、靴紐を緩めることができるので、靴を履いたり脱いだりすることが容易になる。
【０００７】
【発明の実施の形態】
以下、図を参照しながら、本発明の巻取り装置付き靴の実施例を説明する。図５に示すように、本実施例における靴１０は、通常のスポーツ用靴の基本構成を有するが、本発明の特徴にかかるのは、アッパー１１上に並列固定されている２つの紐孔列付き羽根１２，１３と、紐孔列付き羽根１３の紐孔列の側辺に設けられている巻取り装置１４と、前記２つの紐孔列付き羽根１２，１３の紐孔１２１，１３１を順番に挿通している靴紐１５などである。
【０００８】
巻取り装置１４は、主として、底座１６と、スプール１７と、巻きワイヤ１８とを備えている。底座１６は、上下２面１６１，１６２を有する円盤体で、その上面１６１のほぼ中央位置に軸芯１６３が突出してあり、且つ、その下面１６２でアーパ１１と接着して固定されている。スプール１７は、上下２面１７１，１７２とこの上下２面１７１，１７２の間に延伸してなる凹陥状周面１７３とを有する円環体で、その上面１７１のほぼ中心部に回転レーバ１７４が付設してあり、その下面１７２に取付孔１７５が開設してあり、また、取付孔１７５の軸芯１６３に対する外嵌により底座１６上に回転可能に設けられている。巻きワイヤ１８は、２折りされてから、その２端部とも自由端部１８１とされてスプール１７の凹陥状周面１７３に巻かれており、且つ、２つの自由端部１８１にそれぞれリング１９が付設されていて、靴紐１５を設置する際において、巻取り装置１４の近くにある２つの紐孔１３１に代えている。靴紐１５が順番に前記２つの紐孔列付き羽根１２，１３上の紐孔１２１，１３１及び２つのリング１９を順番に通して設置されている。
【０００９】
スプール１７の上面１７１のほぼ中心部にスロット（１７６ａ）付き突台１７６が突出形成してあり、且つ、レバー１７４は、一端１７４ａがスロット１７６ａ内に嵌挿固定されている。そして、スプール１７は、スロット付き突台１７６だけが羽根１３外に突出するように、底座１６と共に、羽根１３とアーパ１１との間に挟持固定され、また、レバー１７４もスロット付き突台１７６と共に羽根１３外に露出している。
【００１０】
また、羽根１３の下における底座１６上に、スロット付き突台１７６だけをその中心部から突出させるようにスプール１７の全体を遮蔽した中心孔（１６５ａ）付き蓋体１６５が付設されている。そして、蓋体１６５の周縁部１６５ｂに２つの通孔１６５ｃが開設してあり、巻きワイヤ１８の２つの自由端部１８１は２つの通孔１６５ｃから蓋体１６５の外に延伸していて２つのリング１９が蓋体１６５内に引っ込まれることができないように付設されている。そして、底座１６に、更に、その周縁から突出してから、羽根１３を貫通して羽根１３外に延伸し、且つ、その延伸端部上に、レバー１７４の他端１７４ｂを脱着可能に係止することができる係止穴１６４ａ）付き係止座１６４が形成されている。
【００１１】
そして、巻取り装置１４は、更に、２つの通孔１６５ｃの周縁近くから突出してから、羽根１３を貫通して羽根１３外に露出し、ほぼ２つのリング１９に代えられた２つの紐孔のあるべき位置までに延伸してなる２つの管体１４１があり、且つ、２つの管体１４１は、２つのリング１９をそれぞれ管体１４１の口内に収納することができるように構成されている。本実施例における巻取り装置１４は、図示のように、一部が羽根１３とアッパー１１との間に埋設されているが、これに限らず、その全体が羽根１３または羽根以外のアッパー１１上に設けられてもよい。
【００１２】
このように、図５及び図７に示すように、レバー１７４でスプール１７を回転させることにより、巻きワイヤ１８を巻き、２つのリング１９を引張って２管体１４１内に収納することにより、靴紐１５をしっかりと締めることができ、且つ、レバー１７４の他端１７４ｂを係止穴１６４ａに係止することにより、スプール１７の反転を防止し、靴をしっかりと足に履くことができる。
【００１３】
逆に、靴を脱ごうとする場合、図８乃至図１０に示すように、レバー１７４の係止穴１６４ａへの係止を解除し、スプール１７を反転させることにより、巻きワイヤ１８をスプール１７から繰り出して靴紐を緩めてから、手や足自体で２つの紐孔列付き羽根１２，１３の距離を開いて足を靴から容易に脱ぐことができる。
【００１４】
【発明の効果】
上記のように、本発明の巻取り装置付き靴は、巻取り装置の巻きワイヤを巻き取ることにより、前記巻きワイヤの自由端部に付設しているリングを引張って靴紐をもっとしっかりと締めることができ、且つ、前記巻き取り装置の巻きワイヤを繰り出すことにより、靴紐を緩めることができるので、靴を履いたり脱いだりすることが容易になる。
【図面の簡単な説明】
【図１】従来の紐長さ快速調整デバイス付き靴を示す斜視図である。
【図２】前記紐長さ快速調整デバイス付き靴の一部を示す断面図である。
【図３】従来の他の靴を示す斜視図である。
【図４】前記従来の他の靴を示す斜視図である。
【図５】本発明の巻取り装置付き靴の実施例を示す上面図である。
【図６】前記実施例における巻取り装置を示す分解図である。
【図７】前記実施例における巻取り装置のワイヤを巻き取ってからレーバを係止した際の断面図である。
【図８】前記実施例における巻取り装置のレバーを脱着させてからワイヤを繰り出した際の断面図である。
【図９】前記実施例における靴紐が緩められた際の正面図である。
【図１０】前記実施例の靴紐が緩められた際の斜視図である。
【符号の説明】
１０　　靴
１１　　アッパー
１２，１３　紐孔列付き羽根
１２１，１３１　紐孔
１４　　巻取り装置
１４１　管体
１５　　靴紐
１６　　底座
１６１　底座の上面
１６２　底座の下面
１６３　軸芯
１６４　係止穴付き係止座
１６４ａ　係止穴
１６５　蓋体
１６５ａ　中心孔
１６５ｂ　周縁部
１６５ｃ　通孔
１７　　スプール
１７１　上面
１７２　下面
１７３　凹陥状周面
１７４　回転レバー
１７５　取付孔
１７６　スロット付き突台
１７６ａ　スロット
１８　　巻きワイヤ
１８１　自由端部
１９　　リング
【図１】
2004016732.tif 000003
【図２】
2004016732.tif 000004
【図３】
2004016732.tif 000005
【図４】
2004016732.tif 000006
【図５】
2004016732.tif 000007
【図６】
2004016732.tif 000008
【図７】
2004016732.tif 000009
【図８】
2004016732.tif 000010
【図９】
2004016732.tif 000011
【図１０】
2004016732.tif 000012